(57)【要約】【課題】耐久性が高く、簡単な構造で、省スペースで設置することができる両開き戸の同時開閉機構および両開き戸を提供することを目的とする。【解決手段】左扉と右扉とが観音開きする両開き戸の同時開閉機構３０は、左扉と右扉とのそれぞれの回転軸３１ａ，３１ｂの回転と共に、同方向に回転する一対の円盤部材３２ａ，３２ｂと、一対の円盤部材３２ａ，３２ｂの左扉側の回転部材３２ａの回転方向を、右扉側の回転部材３２ｂに逆転した状態で伝達するリンク部材３３と、リンク部材３３の一方の端部に設けられ、扉閉鎖時に、左扉および右扉が勢い余って反対側へ開くことを防止したり、閉鎖時の衝撃音などの発生を抑止したりする緩衝装置３４とを備えていることで、簡単な構造で、自動開閉を行うことができる。【選択図】図３
2014029105.tif 000002
【特許請求の範囲】
【請求項１】
一方の扉と他方の扉とが観音開きする両開き戸の同時開閉機構において、
前記一方の扉と他方の扉とのそれぞれの回転軸の回転と共に、同方向に回転する一対の回転部材と、
前記一対の回転部材の一方の回転部材の回転を、他方の回転部材に逆転した状態で伝達させるために、前記一対の扉の回転軸同士を結ぶ仮想線を中心線として、前記一方の回転部材の一方側に偏心した位置と、前記他方の回転部材の他方側に偏心した位置とにそれぞれ連結されたリンク部材と、
前記リンク部材の一方の端部に設けられ、前記一方の扉が閉鎖するときに、固定された受け部に当接させて衝撃を緩和させる緩衝装置と
を備えたことを特徴とする両開き戸の同時開閉機構。
【請求項２】
前記一方の扉と他方の扉とが閉鎖状態にあるときに、前記リンク部材および前記回転部材の連結位置と回転軸とを結ぶ線と、前記仮想線との成す角度が鋭角である請求項１記載の両開き戸の同時開閉機構。
【請求項３】
一方の扉と他方の扉とが互いに反対方向へ開く両開き戸の同時開閉機構において、
前記一方の扉と他方の扉とのそれぞれの回転軸の回転と共に、同方向に回転する一対の回転部材と、
前記一対の回転部材の一方の回転部材の回転を、他方の回転部材に正転した状態で伝達させるために、前記一対の扉の回転軸同士を結ぶ仮想線Ｌを中心線として、一方の回転部材の一方側に偏心した位置と、前記他方の回転部材の一方側に偏心した位置とにそれぞれ連結されたリンク部材と、
前記リンク部材の一方の端部に設けられ、前記一方の扉が閉鎖するときに、固定された受け部に当接させて衝撃を緩和させる緩衝装置と
を備えたことを特徴とする両開き戸の同時開閉機構。
【請求項４】
前記回転部材は、前記回転軸に固定された円盤部材であり、
前記リンク部材は、前記円盤部材の円盤面に連結されている請求項１から３のいずれかの項に記載の両開き戸の同時開閉機構。
【請求項５】
前記回転部材は、前記回転軸に固定された帯板状部材であり、
前記リンク部材は、前記帯板状部材の先端部に連結されている請求項１から３のいずれかの項に記載の両開き戸の同時開閉機構。
【請求項６】
前記請求項１から５のいずれかに記載の開き戸の同時開閉機構と、一方の扉または他方の扉を自重で閉めるグラビティヒンジとを備え、
前記一方の扉または他方の扉は、閉鎖状態において室外側へ膨らんでいることを特徴とする両開き戸。
【発明の詳細な説明】
【技術分野】
【０００１】
本発明は、左右の扉が同時に開閉する両開き戸の同時開閉機構および両開き戸に関するものである。
【背景技術】
【０００２】
両開き戸は、両引き戸と異なり、戸を収納するスペースが不要であるため、狭い通路や廊下でも設置することができる。また、両開き戸は、２枚の戸により通路や廊下を閉鎖するため、同じ幅の廊下であれば、片開き戸より扉の大きさが小さくできるので、扉の開閉に伴う占有面積を小さくできる。
両開き戸を開放状態とするには、２枚の戸を左右に同時に開く必要があるため両手を使う必要がある。しかし、片手または両手が荷物などで塞がっているときや車椅子に乗っている者にとっては、両方を一度に開くことが困難な場合がある。
【０００３】
このような両開き戸の欠点を解消するために、同時に両方の扉が開いたり閉じたりする同時開閉機構が提案されている。
例えば、特許文献１には、扉を軸着する扉支軸に同径のチェーンギヤを嵌着し、このチェーンギヤにタスキ掛状、または平行にチェーンを装着した左右同時開閉扉が記載されている。
特許文献２には、両開き戸の左右の回転軸に設けられた左右の駆動傘歯車と、駆動傘歯車と噛合する左右の従動傘歯車と、従動傘歯車が両端に設けられた伝達軸とを備えた両開戸開閉装置が記載されている。また、この特許文献２には、両開戸の回転軸に設けられた駆動プーリーと、この駆動プーリーに係合して回転力を伝達する伝達ベルトと、伝達ベルトが係合する左右の従動プーリーと、従動プーリーと同軸に設けられた相互に噛合する左右の伝達歯車とを備えた両開戸開閉装置が記載されている。
【０００４】
特許文献３には、ドア軸又はドアと共に回転する軸に同軸回転的に係着自在の一対の軸部を所定間隔を隔てて軸支し、軸部には夫々唾を突設してこれにクランクアーム体を９０°間隔の所要の位相にねじを介して着脱自在とし、クランクアーム体には位相が１８０°へだたり且つ偏心量が等しい一対の枢着部を夫々設け、而して計二対の枢着部間を結ぶべき二本の連接棒は夫々中間部に於いてターンバックルにて伸縮並びに切りはなして自在且つ枢着部よりは着脱自在とした二つの方式に切換え自在な両開きドア連動装置が記載されたている。
【先行技術文献】
【特許文献】
【０００５】
【特許文献１】実開平７−２６５７１号公報
【特許文献２】特開２００１−１０７６４４号公報
【特許文献３】特公昭４５−１７８９号公報
【特許文献４】特開２０１２−０１７６４６号公報
【発明の概要】
【発明が解決しようとする課題】
【０００６】
しかし、この特許文献１に記載された左右同時開閉扉では、チェーンをチェーンギヤに平行に、またはタスキ掛状に装着しているが、チェーンを平行に装着した場合では扉の開く方向がそれぞれ反対となってしまう。チェーンをタスキ掛状に装着した場合は、クロスするチェーンが擦れ合ってしまい、使用しているうちに破損や破断が起こり、作動しなくなってしまうおそれがある。
【０００７】
特許文献２に記載された両開戸開閉装置では、駆動傘歯車の回転を従動傘歯車により伝達軸を回転させているが、従動傘歯車を配置するための空間を駆動傘歯車より更に高く確保する必要があり、特許文献１に記載の左右同時開閉扉よりも、開閉機構を収納するための空間の高さが高くなる。また、駆動プーリー、伝達ベルト、従動プーリー、および伝達歯車により構成された両開戸開閉装置では、中央部に伝達歯車を設ける必要があり、部品点数が多くなってしまう。従って、メンテナンスが煩雑となるだけでなく、コスト面でもアップしてしまう。
【０００８】
特許文献３に記載された切換え自在な両開きドア連動装置であれば、同時開閉機構を、特許文献１，２より簡単な構造で、かつ省スペースで設置することができる。
しかし、特許文献１〜３に記載の従来の同時開閉装置では、扉が閉まるときの衝撃を緩和する点については考慮されていない。例えば、特許文献４に記載されているようなドアクローザを扉と戸枠に設置して、緩やかに扉を閉めることで、扉の衝撃を緩和させることができるが、同時開閉機構と別体で、大掛かりなものが扉に付くことになるため、扉の意匠性が低下するだけでなく、コストアップとなり、扉の設置にスペースを要する。
【０００９】
そこで本発明は、耐久性が高く、簡単な構造で、省スペースで設置することができる両開き戸の同時開閉機構および両開き戸を提供することを目的とする。
【課題を解決するための手段】
【００１０】
本発明の両開き戸の同時開閉機構は、一方の扉と他方の扉とが観音開きする両開き戸の同時開閉機構において、前記一方の扉と他方の扉とのそれぞれの回転軸の回転と共に、同方向に回転する一対の回転部材と、前記一対の回転部材の一方の回転部材の回転を、他方の回転部材に逆転した状態で伝達させるために、前記一対の扉の回転軸同士を結ぶ仮想線を中心線として、前記一方の回転部材の一方側に偏心した位置と、前記他方の回転部材の他方側に偏心した位置とにそれぞれ連結されたリンク部材と、前記リンク部材の一方の端部に設けられ、前記一方の扉が閉鎖するときに、固定された受け部に当接させて衝撃を緩和させる緩衝装置とを備えたことを特徴とする。
【００１１】
本発明の両開き戸の同時開閉機構によれば、リンク部材を回転部材の仮想線を中心線としてそれぞれ反対側に偏心した位置に連結することで、一方の扉が開けば、扉の回転軸と共に回転する一方の回転部材により、リンク部材が移動する。このリンク部材の移動により他方の回転部材が逆転する。他方の回転部材の逆転と共に、同方向に回転軸が回転して。他方の扉が一方の扉と同じ向きで開く。このように、リンク部材の直線移動で回転部材を反対方向へ回転させることができる。また、扉の閉鎖動作は、リンク部材の移動により検知することができるので、リンク部材の端部に緩衝装置を設ければ、他の場所に特別に緩衝装置を付けるための機構部品を設けることなく、扉が閉鎖するときの衝撃を緩和させることができる。従って、本発明の両開き戸の同時開閉機構は、簡単な構造で構成することができる。
【００１２】
前記一方の扉と他方の扉とが閉鎖状態にあるときに、前記リンク部材および前記回転部材の連結位置と回転軸とを結ぶ線と、前記仮想線との成す角度が鋭角であると、開放時に回転し始める回転部材の応力をリンク部材に伝達しやすいので望ましい。
【００１３】
また、本発明の両開き戸の同時開閉機構は、一方の扉と他方の扉とが互いに反対方向へ開く両開き戸の同時開閉機構において、前記一方の扉と他方の扉とのそれぞれの回転軸の回転と共に、同方向に回転する一対の回転部材と、前記一対の回転部材の一方の回転部材の回転を、他方の回転部材に正転した状態で伝達させるために、前記一対の扉の回転軸同士を結ぶ仮想線を中心線として、前記一方の回転部材の一方側に偏心した位置と、前記他方の回転部材の一方側に偏心した位置とにそれぞれ連結されたリンク部材と、前記リンク部材の一方の端部に設けられ、前記一方の扉が閉鎖するときに、固定された受け部に当接させて衝撃を緩和させる緩衝装置とを備えたことを特徴とする。
【００１４】
本発明の両開き戸の同時開閉機構によれば、リンク部材を回転部材の仮想線を中心線として同じ側に偏心した位置に連結することで、一方の扉が開けば、扉の回転軸と共に回転する一方の回転部材により、リンク部材が移動する。このリンク部材の移動により他方の回転部材が正転する。他方の回転部材の正転と共に、同方向に回転軸が回転して。他方の扉が一方の扉と反対の向きで開く。このように、リンク部材の直線移動で回転部材を同じ方向へ回転させることができる。また、扉の閉鎖動作は、リンク部材の移動により検知することができるので、リンク部材の端部に緩衝装置を設ければ、他の場所に特別に緩衝装置を付けるための機構部品を設けることなく、扉が閉鎖するときの衝撃を緩和させることができる。従って、本発明の両開き戸の同時開閉機構は、簡単な構造で構成することができる。
【００１５】
前記回転部材は、前記回転軸に固定された円盤部材であり、前記リンク部材は、前記円盤部材の円盤面に連結されていると、回転軸の回転と共に、リンク部材の連結位置を回転させることができる。また、リンク部材が円盤面に連結されているため、リンク部材が円盤部材の上方、または下方を移動することができるため、円盤部材の円周にリンク部材を連結した場合と比較して、リンク部材の移動範囲を広く確保することができる。
【００１６】
前記回転部材は、前記回転軸に固定された帯板状部材であり、前記リンク部材は、前記帯板状部材の先端部に連結されているようにしても、リンク部材により一方の帯板状部材の回転を他方の帯板状部材の回転へと伝達することができる。
【００１７】
本発明の両開き戸は、本発明の開き戸の同時開閉機構と、一方の扉または他方の扉を自重で閉めるグラビティヒンジとを備え、前記一方の扉または他方の扉は、閉鎖状態において室外側へ膨らんでいることを特徴とするものである。
本発明の両開き戸によれば、一方の扉または他方の扉のいずれかを開けば、同時開閉機構により両方の扉が開き、閉鎖するときには手を離すだけで、グラビティヒンジにより片方の扉が自重で閉まれば、同時開閉機構によりもう片方も閉まる。そして、狭い室内であっても、一方の扉または他方の扉は、閉鎖状態において室外側へ膨らんでいるため室内を広く確保することができる。
【発明の効果】
【００１８】
本発明の両開き戸の同時開閉機構は、一対の回転部材と、リンク部材と、緩衝装置とで形成することができるので、耐久性が高く、簡単な構造で、省スペースで設置することができる。従って、発明の両開き戸の同時開閉機構は、コストを低く抑えることができ、メンテナンスも簡便なものとすることができる。
【図面の簡単な説明】
【００１９】
【図１】本発明の実施の形態１に係る両開き戸を示す正面図である。
【図２】図１に示す両開き戸の扉における扉の開閉状態の水平断面図である。
【図３】図１に示す両開き戸の扉における扉閉鎖時の同時開閉機構を示す平面図である。
【図４】図３に示す同時開閉機構の円盤部材とリンク部材との連結角度を説明するための図であり、（Ａ）は左扉側の円盤部材を説明するための図、（Ｂ）は右扉側の円盤部材を説明するための図である。
【図５】回転部材を帯板状部材とした同時開閉機構を示す平面図である。
【図６】本発明の実施の形態２に係る両開き戸が観音開きする状態を示す平面図であり、（Ａ）はトイレの内側方向に開く状態の平面図、（Ｂ）はトイレの外側方向に開く状態の平面図である。
【図７】図６に示す両開き戸の開閉機構の平面図である。
【図８】本発明の実施の形態２に係る両開き戸が互いに反対方向に開く状態を示す平面図であり、（Ａ）は左扉が内側に、右扉が外側へ開く平面図、（Ｂ）は左扉が外側に、右扉が内側へ開く平面図である。
【図９】図８に示す両開き戸の開閉機構の平面図である。
【発明を実施するための形態】
【００２０】
（実施の形態１）
本発明の実施の形態１に係る両開き戸について、図面に基づいて説明する。
図１および図２に示すように、両開き戸１０は、左右の固定扉１０ａの間で、一方の扉と他方の扉とが、観音開きするものである。両開き戸１０は、上枠２１と縦枠２２，２２と、下枠２３とにより構成された戸枠２０に設置されている。
両開き戸１０は、一方の扉である左扉１１と、他方の扉である右扉１２とから構成されている。左扉１１と右扉１２とは、開閉に伴って回転する上下の回転軸３１ａ，３１ｂにより支持されている。
【００２１】
ここで、この両開き戸１０のどちらかの扉を開閉すると、自動的にもう片方の扉も同時に開閉する開閉機構（同時開閉機構）について、図２および図３に基づいて説明する。
開閉機構３０は、上枠２１に内蔵されている。開閉機構３０は、回転軸３１ａ，３１ｂと同軸に配置された一対の回転部材である円盤部材３２ａ，３２ｂと、それぞれの円盤部材３２ａ，３２ｂに、両端部が連結された棒状のリンク部材３３とを備えている。
【００２２】
円盤部材３２ａ，３２ｂには、リンク部材３３を回転自在に連結するためのねじ穴３２１が形成されている。ねじ穴３２１の位置は、左扉１１および右扉１２が閉鎖状態にあるときに、回転軸３１ａ，３１ｂ同士を結ぶ仮想線Ｌを中心として、一方の円盤部材３２ａの一方側に偏心した位置と、他方の円盤部材３２ｂの一方側とは反対となる他方側に偏心した位置とに、それぞれ形成されている。図３においては、左扉１１側の円盤部材３２ａでは、左扉１１の一面１１ａ側に偏心した位置にねじ穴３２１が形成され、右扉１２側の円盤部材３２ｂでは、右扉１２の一面１２ａ側とは反対となる他面１２ｂ側に偏心した位置にねじ穴３２１が形成されている。
円盤部材３２ｂとリンク部材３３との連結位置となるねじ穴３２１と回転軸３１ａ，３１ｂとを結ぶ線と、仮想線Ｌとの成す角度が鋭角となるのが、開放時に回転し始める円盤部材３２ａ，３２ｂの応力をリンク部材３３に伝達しやすいので望ましい。本実施の形態では、ねじ穴３２１と回転軸３１ａ，３１ｂとを結ぶ線と、仮想線Ｌとの成す角度θが４５°となるように形成されている（図４（Ａ）および同図（Ｂ）参照）。
【００２３】
リンク部材３３は、円盤部材３２ａ，３２ｂのねじ穴３２１に、両端部に形成されたねじ穴３３１を合わせて、回転自在にねじ止めされ、円盤部材３２ａ，３２ｂに連結されている。
リンク部材３３の一方の端部には、緩衝装置３４が設けられている。ここで、リンク部材３３の一方の端部は、左扉１１および右扉１２が閉鎖するときに、開閉機構３０の側方に位置する戸枠に接近する側である。図３においては、左扉１１および右扉１２が閉鎖するときには、リンク部材３３が左方向へ移動するため、緩衝装置３４が左扉１１側のリンク部材３３の端部に設けられている。
【００２４】
緩衝装置３４は、固定された受け部として機能する戸枠である縦枠２２に当接させて衝撃を緩和させる機能を備えている。緩衝装置３４は、突出したピストンが外筒に進入する際に、外筒内に封入されたオイルの抵抗によりピストンが受ける衝撃を減衰させるオイルダンパーとすることができる。
【００２５】
また、左扉１１は、回転軸３１ａと同軸位置の下枠２３に設けられたグラビティヒンジ３６により支持されている。このグラビティヒンジ３６により、扉を開くと扉が螺旋状にせり上がり扉の支持位置が高くなることで、閉鎖の際には扉の自重で自動的に閉まるようにしている。
【００２６】
以上のように構成された本発明の実施の形態に係る両開き戸１０の動作と使用状態を図面に基づいて説明する。
図２および図３に示すように、まず、左扉１１または右扉１２をいずれか、例えば、右扉１２を開こうとして、右扉１２を平面視して反時計回りに回転させ始めると、反時計回りの右扉１２の回転と共に、右扉１２側の回転軸３１ｂが同方向に回転する。回転軸３１ｂが回転すると、回転軸３１ｂと同軸に固定された右扉１２側の円盤部材３２ｂが同方向に回転する。
【００２７】
円盤部材３２ｂのねじ穴３２１が、右扉１２の一面１２ａと反対となる他面１２ｂ側に形成されているため、円盤部材３２ｂが反時計回りに回転することで、円盤部材３２ｂのねじ穴３２１が、左扉１１から離れる方向へ移動する。円盤部材３２ｂのねじ穴３２１が左扉１１から離れる方向へ移動することで、円盤部材３２ｂは、回転運動を直線運動へ変換するリンク部材３３を引っ張る。
【００２８】
リンク部材３３が引っ張れ、この引張力が左扉１１側の円盤部材３２ａに伝達される。円盤部材３２ａのねじ穴３２１が左扉１１の一面１１ａ側に形成されているため、円盤部材３２ａは、円盤部材３２ｂとは反対方向である時計回りに回転する。
円盤部材３２ａの時計回りの回転により、左扉１１側の回転軸３１ａが時計回りに回転することで、左扉１１が同方向に回転して、左扉１１が右扉１２と同じ向きで開く。
【００２９】
上記説明では、右扉１２を引いた場合を説明したが、左扉１１を引いた場合でも、円盤部材３２ａ、リンク部材３３の移動方向および円盤部材３２ｂの回転方向は同じに動作するので、左扉１１を引くだけで、右扉１２を自動的に開かせることができる。
扉を閉めるときには、手を離せば、左扉１１はグラビティヒンジ３６により回転軸３１ａと同軸位置の底部が支持されているので、左扉１１の自重により閉鎖方向へ移動して、円盤部材３２ａ、リンク部材３３の移動方向および円盤部材３２ｂの回転方向が、開放状態とするときと反対方向に動作することで、両方の扉が閉まる。
【００３０】
本実施の形態では、図１に示すように、左扉１１にグラビティヒンジ３６が設けられているが、グラビティヒンジ３６を右扉１２だけに設けるようにしてもよい。しかし、片方の扉の自重だけで、開閉機構３０の動作によりもう片方の扉を閉鎖するだけの力が得られない場合には、グラビティヒンジ３６を両方の扉に設けることで、確実に扉を閉鎖することができる。
【００３１】
左扉１１および右扉１２が閉鎖するときに、リンク部材３３が直線移動して縦枠２２に接近する。つまり、リンク部材３３の移動は、左扉１１または右扉１２の閉鎖動作の検知に利用することができる。そこで、左扉１１および右扉１２が閉鎖するときに縦枠２２に接近する側のリンク部材３３の端部に、緩衝装置３４を設けることで、リンク部材３３が閉鎖動作して縦枠２２に接近したときに、リンク部材３３の端部に設けられた緩衝装置３４を先に当てさせる。そうすることで、緩衝装置３４にリンク部材３３の移動の衝撃を吸収させることができる。この緩衝装置３４により、扉閉鎖時に、左扉１１および右扉１２が勢い余って反対側へ開くことを防止したり、閉鎖時の衝撃音などの発生を抑止したりすることができる。
【００３２】
このように、左扉１１または右扉１２のいずれかを押しながら開けば、もう片方の扉も開くことができるので、例えば、介護施設や病院などで車椅子やベッドを押しながら両開き戸１０を通過するときに、容易に扉を開き通過することができる。また、両開き戸１０は片開き戸と比べて、同じ通路幅であれば１枚の扉を小さくできるので、扉が回転することで占有させる扇状の面積を小さくすることができる。更に、両開き戸１０は引き戸のように扉を収納するスペースが必要ない。
【００３３】
また、本実施の形態に係る開閉機構３０では、円盤部材３２ａ，３２ｂの円盤面にリンク部材３３が連結されているため、リンク部材３３が円盤部材３２ａ，３２ｂの上方を移動することができるため、円盤部材３２ａ，３２ｂの円周にリンク部材３３を連結した場合と比較して、リンク部材３３の移動範囲を広く確保することができる。
【００３４】
本実施の形態に係る両開き戸１０では、一対の回転部材として円盤部材３２ａ，３２ｂを採用しているが、図５に示すように、帯板状部材３２ｃ，３２ｄとしてもよい。なお、図５においては、図３と同じ構成のものは同符号を付している。
円盤部材３２ａ，３２ｂを帯板状部材３２ｃ，３２ｄとしても、円盤部材３２ａ，３２ｂとリンク部材３３との連結位置となるねじ穴３２１と回転軸３１ａ，３１ｂとを結ぶ線と、仮想線Ｌとの成す角度が鋭角となるのが、開放時の応力がリンク部材３３に伝達しやすいので望ましい。
【００３５】
回転部材を帯板状部材３２ｃ，３２ｄとすることで、板材の面積を減らすことができるので、軽量化を図ることができ、コストを減少させることができる。
【００３６】
（実施の形態２）
本発明の実施の形態２に係る両開き戸について、図面に基づいて説明する。本実施の形態２に係る両開き戸は、一方の扉と他方の扉とが、実施の形態１と同様に、観音開きするだけでなく、２枚の扉が互いに反対方向へも開くようにしたものである。
まず、本実施の形態２に係る両開き戸の両方の扉が、同じ方向へ観音開きすることを説明する。
【００３７】
図６（Ａ）および同図（Ｂ）に示すように、両開き戸１０ｘは、左右の固定扉１０ａｘの間で、一方の扉である左扉１１ｘと、他方の扉である右扉１２ｘとから構成されている。
両開き戸１０ｘは、例えば、ユニバーサルデザインのトイレＴの扉として使用することができる。左扉１１ｘと右扉１２ｘとは、先端側が、トイレＴの室外側へ湾曲した円弧面に形成されていることで、左扉１１ｘと右扉１２ｘとが閉鎖状態のときに、２枚の扉の中央部がトイレＴの室外側へ膨らんでおり、室内側に空間が設けられている。
左扉１１ｘと右扉１２ｘとは、開閉に伴って回転する上下の回転軸３１ａｘ，３１ｂｘにより支持されている。
【００３８】
ここで、本実施の形態２に係る両開き戸１０ｘの同時開閉機構について、図７および図８に基づいて説明する。
開閉機構３０ｘは、同方向に観音開きする点については、図８に示すように、実施の形態１に係る開閉機構３０と原理は同じである。開閉機構３０と異なる点については、リンク部材３３の取り付け位置を変更することで、観音開きの開く方向が反対方向へも開くように形成されている。
【００３９】
詳細に説明すると、一方の回転軸３１ａｘに設けられた円盤部材３２と、他方の回転軸３１ｂｘに設けられた円盤部材３２には、それぞれに、リンク部材３３を回転自在に連結するためのねじ穴３２１ａ，３２１ｂが、左扉１１ｘおよび右扉１２ｘが閉鎖状態にあるときに、回転軸３１ａｘ，３１ｂｘ同士を結ぶ仮想線Ｌを中心として線対称となる位置に形成されている。２枚の円盤部材３２，３２は、同じ部材であり、表裏を反転させた状態で、一方の回転軸３１ａｘと、他方の回転軸３１ｂｘとに取り付けられている。
【００４０】
リンク部材３３が、一方の円盤部材３２に形成された仮想線Ｌの一側のねじ穴３２１ａと、他方の円盤部材３２に形成された仮想線Ｌの他側のねじ穴３２１ｂとを連結することで、例えば、左扉１１ｘをトイレＴの外側に引くと（図６（Ｂ）参照）、左扉１１ｘの回転軸３１ａｘが回転することで、駆動側の円盤部材３２が平面視して反時計回りに回転して、リンク部材３３が一方の回転軸３１ａｘ側へ引っ張られる。そうすると、従動側の円盤部材３２が平面視して時計回りに回転する。従って、回転軸３１ｂｘが時計回りに回転することで、右扉１２ｘもトイレＴの外側方向（一方向）へ開き、観音開きする（図７に示す「ａ：開放時」の状態）。
【００４１】
また、リンク部材３３が、一方の円盤部材３２に形成された仮想線Ｌの他側のねじ穴３２１ｂと、他方の円盤部材３２に形成された仮想線Ｌの一側のねじ穴３２１ａとを連結することで、右扉１２ｘをトイレＴの内側に引くと（図６（Ａ）参照）、右扉１２ｘの回転軸３１ａｘが回転することで、駆動側の円盤部材３２が平面視して反時計回りに回転して、リンク部材３３が一方の回転軸３１ｂｘ側へ引っ張られる。そうすると、従動側の円盤部材３２が平面視して時計回りに回転する。従って、回転軸３１ａｘが回転することで、左扉１１ｘもトイレＴの内側方向（他方向）へ開き、観音開きする（図７に示す「ｂ：開放時」の状態）。但し、「ｂ：開放時」の状態での開閉機構３０ｘの回転軸３１ａ，３１ｂｘへの取り付けは、「ａ：開放時」の状態のときと左右が反対にとなっている。
【００４２】
このように、それぞれの円盤部材３２に、ねじ穴３２１ａ，３２１ｂが、回転軸３１ａｘ，３１ｂｘから偏心した位置であって、仮想線Ｌを中心として線対称となる位置に形成され、リンク部材３３の一端がねじ穴３２１ａに、そして、他端がねじ穴３２１ｂに、仮想線Ｌと交差するように連結することで、左扉１１ｘまたは右扉１２ｘのいずれか一方の扉を開くことで、他方の扉も連動して、同じ方向に開かせることができる。
【００４３】
図６では、左扉１１ｘと右扉１２ｘとを同じ方向へ開かせていたが、図８に示す両開き戸１０ｘでは、反対の方向に開かせることができる。
図９に示す開閉機構３０ｘは、図７に示す開閉機構３０ｘと同じ構成部材であるが、リンク部材３３の連絡位置が、図７に示す開閉機構３０ｘと異なる。
【００４４】
図９に示す開閉機構３０ｘでは、リンク部材３３が、一方の円盤部材３２に形成された仮想線Ｌの一側のねじ穴３２１ａと、他方の円盤部材３２に形成された仮想線Ｌの一側のねじ穴３２１ａとを連結することで、例えば、左扉１１ｘをトイレＴの内側に引くと（図８（Ａ）参照）、左扉１１ｘの回転軸３１ａｘが回転することで、駆動側の円盤部材３２が平面視して時計回りに回転して、リンク部材３３が他方の回転軸３１ｂｘ側へ引っ張られる。そうすると、従動側の円盤部材３２が平面視して時計回りに回転する。従って、回転軸３１ｂｘが時計回りに回転することで、右扉１２ｘはトイレＴの外側方向（一方向）へ開き、互いに反対方向に開く（図９に示す「ｃ：開放時」の状態）。
【００４５】
また、リンク部材３３が、一方の円盤部材３２に形成された仮想線Ｌの他側のねじ穴３２１ｂと、他方の円盤部材３２に形成された仮想線Ｌの他側のねじ穴３２１ｂとを連結することで、例えば、右扉１２ｘをトイレＴの内側に引くと（図８（Ｂ）参照）、右扉１２ｘの回転軸３１ｂｘが回転することで、駆動側の円盤部材３２が平面視して反時計回りに回転して、リンク部材３３が他方の回転軸３１ａｘ側へ引っ張られる。そうすると、従動側の円盤部材３２が平面視して反時計回りに回転する。従って、回転軸３１ａｘが反時計回りに回転することで、左扉１１ｘはトイレＴの外側方向（一方向）へ開き、互いに反対方向に開く（図９に示す「ｄ：開放時」の状態）。
但し、「ｄ：開放時」の状態での開閉機構３０ｘの回転軸３１ａ，３１ｂｘへの取り付けは、「ｃ：開放時」の状態のときと左右が反対になっている。
【００４６】
このように、それぞれの円盤部材３２に、ねじ穴３２１ａ，３２１ｂが、仮想線Ｌを中心として線対称となる位置に形成され、リンク部材３３が、一側同士、他端側同士を、仮想線Ｌと平行になるように連結することで、左扉１１ｘまたは右扉１２ｘのいずれか一方を開くことで、他方も連動して、他方の扉が一方の扉と異なる方向に開かせることができる。
【００４７】
図７および図９に示すように、本実施の形態２に係る開閉機構３０ｘのリンク部材３３の一方の端部にも、緩衝装置３４が設けられている。ここで、リンク部材３３の一方の端部は、左扉１１または右扉１２が閉鎖するときに、開閉機構３０ｘの側方に位置する戸枠や壁に接近する側である。
【００４８】
本実施の形態２に係る開閉機構３０ｘでは、左扉１１および右扉１２が閉鎖するときに、扉の衝撃を緩和させる緩衝装置３４を当接させる、固定された受け部として機能する当接部３７が設けられている。当接部３７は、金属製や木製の箱体としたり、樹脂製のブロック体としたりすることができる。
【００４９】
このように、リンク部材３３の移動が、左扉１１または右扉１２の閉鎖動作の検知に利用できるので、リンク部材３３の端部に、緩衝装置３４を設けることで、実施の形態１と同様に、扉閉鎖時に、左扉１１および右扉１２が勢い余って反対側へ開くことを防止したり、閉鎖時の衝撃音などの発生を抑止したりすることができる。
また、実施の形態１と同様に、グラビティヒンジを左扉１１ｘまたは右扉１２ｘの下側の回転軸３１ａｘ，３１ｂｘに設けておけば、扉を開放したときに、自動的に閉鎖動作を開始させることができる。このとき、リンク部材３３に緩衝装置３４が設けられているため、利用者は、左扉１１ｘまたは右扉１２ｘの閉鎖時の衝撃音などを心配することなく、扉を閉めることができる。
【００５０】
左扉１１ｘと右扉１２ｘとが閉鎖状態のときに、２枚の扉の中央部がトイレＴの室外側へ膨らんでいるため、狭いトイレＴの室内であっても、トイレＴを広く感じさせることができる。特に、車椅子を使用する利用者がトイレＴを利用する場合には、車椅子が室内を占有するため、両方の扉が外側に膨らむ形状に形成されていることで得られる室内の空間により室内での動きに余裕ができる。
また、車椅子を使用する利用者がトイレＴを利用する場合では、図８（Ａ）に示す両開き戸１０ｘであれば左扉１１ｘを、同図（Ｂ）に示す両開き戸１０ｘであれば右扉１２ｘを押しながらトイレＴに進入し、使用後には、図８（Ａ）に示す両開き戸１０ｘであれば右扉１２ｘを、同図（Ｂ）に示す両開き戸１０ｘであれば左扉１１ｘを押しながら退出することができる。また、グラビティヒンジにより自動的に左扉１１ｘまたは右扉１２ｘが閉まれば、反対側も開閉機構３０ｘにより自動的に閉まる。従って、利用者は車椅子に乗ったまま、後退することなく、トイレＴに入ったり出たりすることができる。
【００５１】
なお、本実施の形態２では、回転部材として円盤部材３２を用いていたが、実施の形態１と同様に、帯板状部材としてもよい。
【産業上の利用可能性】
【００５２】
本発明は、両開き戸に好適であり、特に、病院や介護施設、高速道路のサービスエリアなどのトイレに設置される両開き戸には最適である。
【符号の説明】
【００５３】
１０，１０ｘ  両開き戸
１０ａ，１０ａｘ  固定扉
１１，１１ｘ  左扉
１１ａ  一面
１２，１２ｘ  右扉
１２ａ  一面
１２ｂ  他面
２０  戸枠
２１  上枠
２２  縦枠
２３  下枠
３０，３０ｘ  開閉機構
３１ａ，３１ｂ，３１ａｘ，３１ｂｘ  回転軸
３２，３２ａ，３２ｂ  円盤部材
３２ｃ，３２ｄ  帯板状部材
３２１  ねじ穴
３２１ａ，３２１ｂ  ねじ穴
３３  リンク部材
３３１  ねじ穴
３４  緩衝装置
３６  グラビティヒンジ
３７  当接部
Ｌ  仮想線
Ｔ  トイレ
【図１】
2014029105.tif 000003
【図２】
2014029105.tif 000004
【図３】
2014029105.tif 000005
【図４】
2014029105.tif 000006
【図５】
2014029105.tif 000007
【図６】
2014029105.tif 000008
【図７】
2014029105.tif 000009
【図８】
2014029105.tif 000010
【図９】
2014029105.tif 000011